(57)【特許請求の範囲】
【請求項１】
記録媒体に対する情報の記録および再生をそれぞれ磁気的に行う記録ヘッドおよび再生ヘッドを備えるとともに、記録および再生の際に記録媒体を昇温する熱源を備えている複合磁気ヘッド装置において、
前記再生ヘッドと前記記録ヘッドとは、前記記録媒体の同一トラック上に位置決め可能な位置に並設されており、
前記熱源としてのレーザ発光手段と、このレーザ発光手段から出射されたレーザ光を集光させて光ビームスポットを形成する集光手段と、
記録時に再生ヘッド用の光ビームスポットを形成するためのレーザ光が前記集光手段へ入射するのを阻止する一方、再生時に記録ヘッド用の光ビームスポットを形成するための
レーザ光が前記集光手段へ入射するのを阻止する遮光手段とを備えていることを特徴とする複合磁気ヘッド装置。
【請求項２】
前記並設の方向は、前記記録媒体のトラック方向に対して直交する方向であることを特徴とする請求項１に記載の複合磁気ヘッド装置。
【請求項３】
前記並設の方向は、前記記録媒体のトラック方向に沿う方向であることを特徴とする請求項１に記載の複合磁気ヘッド装置。
【請求項４】
前記レーザ発光手段が１個のみ設けられ、前記集光手段がレーザ発光手段から出射されたレーザ光から２個の光ビームスポットを形成することを特徴とする請求項１に記載の複合磁気ヘッド装置。
【請求項５】
前記集光手段が集光レンズからなり、前記記録ヘッドと再生ヘッドとが前記集光レンズに設けられていることを特徴とする請求項１または４に記載の複合磁気ヘッド装置。
【請求項６】
前記集光レンズには、前記記録ヘッドに対応する回折格子と、前記再生ヘッドに対応する回折格子とが形成されていることを特徴とする請求項５に記載の複合磁気ヘッド装置。
【請求項７】
請求項１に記載の複合磁気ヘッド装置に用いられる、トラッキング制御用のサーボパターンがサーボピットにより予め形成されている記録媒体において、異なるトラックに対応して設定された少なくとも２種類のサーボパターンを有し、これらサーボパターンがトラック方向へ交互に配されていることを特徴とする記録媒体。
【請求項８】
前記サーボパターンは第１のサーボパターンと第２のサーボパターンとからなり、第１のサーボパターンは、２本のトラック間の一つ飛ばしのトラック間の位置にトラック方向との直行方向にサーボピットが並ぶ第１のサーボピット列と、第１のサーボピット列のサーボピットとは異なるトラック間の位置にトラック方向との直行方向にサーボピットが並ぶ第２のサーボピット列とからなり、第２のサーボパターンは、第１のサーボパターンに対し、第１のサーボピット列と第２のサーボピット列とのトラック方向における形成順序が逆になっているものからなることを特徴とする請求項７に記載の記録媒体。
【請求項９】
請求項７または８に記載の記録媒体を使用し、走査するトラック毎にそのトラックに対応したサーボパターンを切り替えて使用するトラッキング制御手段を備えていることを特徴とする情報記録再生装置。
【発明の詳細な説明】
【０００１】
【発明の属する技術分野】
本発明は、記録媒体を昇温させ、記録媒体に対する情報の磁気的な記録および再生を行う複合磁気ヘッド装置、それを用いた情報記録再生装置および記録媒体に関するものである。
【０００２】
【従来の技術】
近年、光技術と磁気記録再生技術との融合による高密度記録を実現する技術が開発されている。この種の技術としては、光アシスト磁気記録再生方式が知られている。この磁気記録再生方式では、例えば特開平４−１７６０３４号に開示されているように、補償温度が略室温のフェリ磁性体からなる磁気記録媒体を使用する。そして、記録時にはレーザ光により磁気記録媒体を昇温させてその保磁力を低下させ、この状態で情報記録用の記録ヘッドにより磁気記録媒体に外部磁界を印加する。また、再生時にもレーザ光により磁気記録媒体を昇温させて残留磁化を増大させ、その磁束を情報再生用の再生ヘッドにて検出し、再生する。
【０００３】
この光アシスト磁気記録再生方式では、レーザ光により昇温されていない略室温領域において残留磁化がゼロに近くなる。したがって、再生ヘッドにおけるトラック方向に対する垂直方向の幅が情報を記録しているトラックピッチより大きい場合であっても、クロストークを充分に小さく抑えることが可能となり、高密度記録された情報の再生を実現することができる。
【０００４】
このような光アシスト磁気記録再生方式でのヘッド構成は、記録媒体を挟むように磁気ヘッドと光ヘッドとが記録媒体を介して対向配置されたものとなっていた。
【０００５】
しかしながら、このように磁気ヘッドと光ヘッドとが記録媒体の各面側に分離され、対向配置された構成は、磁気ヘッドと光ヘッドとのアライメントが困難であることから生産性に乏しく、さらに、記録媒体の両面使用が不可能であることから、記録容量の増大の面で不利なものとなっていた。このため、磁気ヘッドと光ヘッドとの複合化により、両ヘッドのアライメント作業を不要とし、また記録媒体の両面を使用できるようにすることが望まれていた。
【０００６】
このような要望に対し、磁気ヘッドと光ヘッドを複合化した構成については、近年、光磁気記録の分野および熱磁気記録の分野において種々提案されいる。
【０００７】
例えば、特開平１−２７３２５２号においては、空隙部を有する磁気回路内部にレーザダイオードおよび光学系が組み込まれた光磁気用ピックアップが提案されている（第１従来技術）。このような構成では、レーザ発光部と磁気ヘッドギャップとが一致し、理想的な複合ヘッド構成が可能となる。
【０００８】
また、特開平３−１８９９０５号には、図１４に示すように、半導体レーザ１０２と薄膜磁気ヘッド１０３とを同一基板上に形成した磁気ヘッド装置１０１が提案されている（第２従来技術）。この磁気ヘッド装置１０１では、半導体製造プロセスを使用してレーザ発光部（半導体レーザ１０２）と薄膜磁気ヘッド１０３とを同一基板上に形成するものである。このような構成では、レーザ発光部と薄膜磁気ヘッド１０３との位置ずれを０．３μｍ前後まで小さくできる。
【０００９】
【発明が解決しようとする課題】
しかしながら、第１従来技術については、近年の高密度記録では積層薄膜ヘッドが使用されているため、上記のような空隙部を有する磁気回路は使用されず、上記の構成を採用することは不可能である。
【００１０】
第２従来技術の構成では、レーザ発光部と磁気ヘッド（薄膜磁気ヘッド１０３）のギャップとの位置が一致しないため、記録媒体１０４上での熱分布を利用して情報を磁気的に記録することになる。即ち、ここではレーザ光１０５により記録媒体１０４を適切に昇温するための具体的な構成については何ら検討されていない。
【００１１】
ここで、光アシスト磁気記録再生方式では、上述したように、情報の記録および再生の際にも光による記録媒体の昇温を行っている。一方、従来より光アシスト磁気記録再生方式に使用するものとして提案されて来た磁気ヘッド装置は、記録用の薄膜誘導型磁気ヘッドと再生用のＭＲ素子またはＧＭＲ素子（磁気抵抗効果を利用した素子）とが積層されて一体化されたものである。そこで、この磁気ヘッド装置を第２従来技術に基づいて構成した場合について検討する。その構成は図１５（ａ）に示すものとなる。
【００１２】
図１５（ａ）に示すように、薄膜誘導型磁気ヘッド１１２とＭＲ素子１１３とを一体化した磁気ヘッド装置１１１は、半導体レーザ１０２のチップ上に形成される。この磁気ヘッド装置１１１では、半導体レーザ１０２から出射したレーザ光１０５により記録媒体１０４を加熱し、その熱分布により記録および再生の両方を実行することになる。
【００１３】
具体的には、記録媒体１０４のキュリー点を２５０℃とした場合、情報を記録するためにはレーザ光１０５をキュリー点付近の２５０℃以上に昇温することが要求される。一方、記録された情報を再生する場合には、記録媒体１０４を残留磁化が最大となる２００℃付近まで昇温することが必要である。
【００１４】
上記の構成において、レーザ光１０５を光アシスト用の記録媒体１０４に照射したときの熱分布をシミュレーションにより求めた結果を図１５（ｂ）に示す。この結果によれば、レーザ光１０５の照射位置から１μｍ後方（記録媒体１０４の移動方向とは反対方向）において、レーザ光照射位置での温度と比較して、およそ１００℃も温度が低下することが判る。したがって、上記磁気ヘッド装置１１１（第２従来技術に基づく構成）では、記録ヘッド（薄膜誘導型磁気ヘッド１１２）および再生ヘッド（ＭＲ素子１１３）とレーザ光照射位置とが構造上数μｍ以上離れているため、記録媒体１０４の再生時において、記録媒体１０４の再生位置を所定の温度に昇温しようとすれば、レーザ光照射位置がキュリー温度以上に昇温されてしまうことになる。この結果、記録媒体１０４に記録されている情報が消去されてしまうという不都合を生じる。
【００１５】
以上のことから、従来提案されている磁気ヘッド装置を用いて、光アシスト磁気記録再生を実現することは不可能であることが判明した。
【００１６】
また、従来提案されている、記録媒体を挟むように磁気ヘッドと光ヘッドとが対向配置された構成においては、トラッキングサーボ手法に関する具体的な提案がなされていなかった。
【００１７】
さらに、第２従来技術において開示されているトラッキングサーボ方式では、トラック毎にサーボに使用される位置情報の極性が反転するという欠点を有しており、その解決策については何ら検討されていない。
【００１８】
本発明は、上記の問題点に鑑みなされたものであって、その目的は、光アシスト方式による磁気記録再生手法に適した複合磁気ヘッド装置、それを用いた情報記録再生装置および記録媒体を提供することにある。
【００１９】
【課題を解決するための手段】
上記の課題を解決するために、本発明の複合磁気ヘッド装置は、記録媒体に対する情報の記録および再生をそれぞれ磁気的に行う記録ヘッドおよび再生ヘッドを備えるとともに、記録および再生の際に記録媒体を昇温する熱源を備えている複合磁気ヘッド装置において、前記熱源が再生ヘッド用と記録ヘッド用として個々に設けられていることを特徴としている。
【００２０】
上記の構成によれば、記録媒体に対する情報の記録および再生の際に記録媒体を昇温する熱源が再生ヘッド用と記録ヘッド用として個々に設けられているので、各ヘッドと熱源との距離を縮め、これら両者を近接させることができる。
【００２１】
したがって、記録媒体を熱源により昇温した場合の熱分布により情報の記録再生を行う場合に、記録媒体を過度にかつ広範囲に昇温させる必要がなく、記録媒体に対して与える熱的ダメージを軽減することができる。また、再生時に再生ヘッドによる再生部位を所定温度に昇温するために、記録媒体を加熱し過ぎて記録情報が消去されてしまう事態も回避することができる。
【００２２】
上記の複合磁気ヘッド装置は、前記の熱源が、レーザ発光手段と、このレーザ発光手段から出射されたレーザ光を集光させて光ビームスポットを形成する集光手段とを備えている構成としてもよい。
【００２３】
上記の構成によれば、熱源を容易に得ることができるとともに、集光手段により光ビームスポットを所望の位置、即ち記録ヘッド、再生ヘッドによる記録部位、再生部位に近接した位置に容易に形成することができるので、記録媒体の昇温をさらに適切に行うことができる。
【００２４】
上記の複合磁気ヘッド装置は、前記レーザ発光手段が１個のみ設けられ、前記集光手段がレーザ発光手段から出射されたレーザ光から２個の光ビームスポットを形成するものからなる構成としてよい。
【００２５】
上記の構成によれば、集光手段が、１個のレーザ発光手段より出射されたレーザ光から２個の光ビームスポットを形成するので、レーザ発光手段の数が少なくてよく、また部品点数を減らして構成を簡略化することができる。
【００２６】
上記の複合磁気ヘッド装置は、前記集光手段が集光レンズからなり、前記記録ヘッドと再生ヘッドとが前記集光レンズに設けられている構成としてもよい。
【００２７】
上記の構成によれば、集光手段が集光レンズからなり、記録ヘッドと再生ヘッドとが集光レンズに設けられ、少なくとも記録ヘッドと集光レンズ、および再生ヘッドと集光レンズとがそれぞれ一体化されるので、記録ヘッド、再生ヘッドによる記録再生位置に対する集光レンズによる光ビームスポットの形成位置の設定が容易となる。
【００２８】
上記の複合磁気ヘッド装置は、前記集光手段が回折格子を備えている構成としてもよい。
【００２９】
上記の構成によれば、集光手段の形成が容易である。即ち、集光手段は、例えば石英ガラスを母材としてフォトリソグラフィ技術を使用し、ドライエッチングにより形成することが可能なる。したがって、記録ヘッド、例えば薄膜誘導型磁気ヘッドと、再生ヘッド、例えば磁気抵抗効果センサヘッドとを石英ガラス上に作製しておき、それぞれのヘッドに対するレンズ焦点位置の位置決めをフォトマスクの位置合わせにて実現して、回折格子を後から形成することができるので、集光手段の形成が容易である。
【００３０】
上記の複合磁気ヘッド装置は、記録時に再生ヘッド用の熱源を非作動状態とする一方、再生時に記録ヘッド用の熱源を非作動状態とする熱源制御手段を備えている構成としてもよい。
【００３１】
上記の構成によれば、記録媒体の記録および再生時に不要に記録媒体を加熱することがなく、記録媒体の熱的ダメージを軽減することができる。
【００３２】
上記の複合磁気ヘッド装置は、記録時に再生ヘッド用の光ビームスポットを形成するためのレーザ光が前記集光手段へ入射するのを阻止する一方、再生時に記録ヘッド用の光ビームスポットを形成するためのレーザ光が前記集光手段へ入射するのを阻止する遮光手段を備えている構成としてもよい。
【００３３】
上記の構成によれば、遮光手段により、記録時には再生ヘッド用の不要な光ビームスポットが形成されるのを阻止し、再生時には記録ヘッド用の不要な光ビームスポットが形成されるのを阻止することができる。
【００３４】
したがって、記録媒体の記録および再生時に不要に記録媒体を加熱することがなく、記録媒体の熱的ダメージを軽減することができる。
【００３５】
本発明の情報記録再生装置は、上記の複合磁気ヘッド装置を備えるとともに、記録媒体からの前記光ビームスポットの反射光より得られる情報に基づいてトラッキング制御を行うトラッキング制御手段を備えていることを特徴としている。
【００３６】
上記の構成によれば、記録および再生時に記録媒体を昇温する光ビームスポットを利用して、トラッキング制御を行うので、記録ヘッドと再生ヘッドが分離されていても、トラッキング制御を容易に行うことができる。例えば記録ヘッドにより情報が記録されたトラックを正確に再生ヘッドが走査することができる。
【００３７】
本発明の記録媒体は、トラッキング制御用のサーボパターンがサーボピットにより予め形成されている記録媒体において、異なるトラックに対応して設定された少なくとも２種類のサーボパターンを有し、これらサーボパターンがトラック方向へ交互に配されていることを特徴としている。
【００３８】
上記の構成によれば、狭トラックピッチのトラックであっても光ビームスポットがサーボピットを通過する時に位置情報が正確に得られるので、トラック方向の記録密度を上げても精度良くトラッキングを行うことができる。また、この記録媒体を使用する情報記録再生装置においては、前記少なくとも２種類のサーボパターンを例えば隣接するトラック毎に使い分けることで、サーボ回路上でのサーボ極性を反転することなく、シームレスにトラッキングを実行することができる。
【００３９】
上記の記録媒体において、前記サーボパターンは第１のサーボパターンと第２のサーボパターンとからなり、第１のサーボパターンは、２本のトラック間の一つ飛ばしのトラック間の位置にトラック方向との直行方向にサーボピットが並ぶ第１のサーボピット列と、第１のサーボピット列のサーボピットとは異なるトラック間の位置にトラック方向との直行方向にサーボピットが並ぶ第２のサーボピット列とからなり、第２のサーボパターンは、第１のサーボパターンに対し、第１のサーボピット列と第２のサーボピット列とのトラック方向における形成順序が逆になっているものからなる構成としてもよい。
【００４０】
上記の構成によれば、第１のサーボパターンと第２のサーボパターンとの第１のサーボピット列と第２のサーボピット列とのサーボピットにより、対応する各トラックについてのトラッキングを良好に行うことができる。
【００４１】
本発明の情報記録再生装置は、上記の記録媒体を使用し、走査するトラック毎にそのトラックに対応したサーボパターンを切り替えて使用するトラッキング制御手段を備えていることを特徴としている。
【００４２】
したがって、上記の記録媒体を使用した場合のトラッキング制御をトラッキング制御手段により適切に行うことができる。
【００４３】
【発明の実施の形態】
〔実施の形態１〕
本発明の実施の一形態を図１ないし図７に基づいて以下に説明する。
図１（ａ）（ｂ）に示すように、本実施の形態の複合磁気ヘッド装置１は、複合磁気ヘッド２を備えている。なお、図１（ａ）は複合磁気ヘッド２の平面図であり、図１（ｂ）は同縦断面図である。
【００４４】
複合磁気ヘッド２は、直方体形状の集光レンズ（熱源、集光手段）３と、例えば薄膜誘導型磁気ヘッドからなる情報記録用の記録ヘッド４と、例えばＭＲ素子またはＧＭＲ素子からなる情報再生用の再生ヘッド５とを備えている。記録ヘッド４と再生ヘッド５とは、集光レンズ３と一体に設けられ、集光レンズ３の一つの側面における中央部の下端部に並設されている。これら記録ヘッド４と再生ヘッド５との並設方向は、記録媒体６への複合磁気ヘッド２のアクセス時において、図２（ａ）（ｂ）に示すように、磁気ディスクからなる記録媒体６のトラック方向との直行方向、即ち半径方向となる方向である。図２（ａ）（ｂ）には、記録媒体６の表面の移動方向と記録ヘッド４および再生ヘッド５の並び方向と後述する光ビームスポットとの位置関係が示されている。
【００４５】
集光レンズ３の上面には、記録ヘッド４に対応する回折格子パターン７と再生ヘッド５に対応する回折格子パターン８とが形成されている。回折格子パターン７は、複合磁気ヘッド２に上方から平行光束９が入射すると、記録ヘッド４の近傍位置に光ビームスポットを生成するようになっている。同様に、回折格子パターン８は再生ヘッド５の近傍位置に光ビームスポットを生成するようになっている。したがって、これら回折格子パターン７、８は、平行光束９の供給源とともに、それぞれ、記録時、再生時の熱源を構成している。
【００４６】
また、図１（ａ）（ｂ）および図２（ａ）（ｂ）から判るように、集光レンズ３は、各光ビームスポットをその底面近傍に生成しており、ソリッドイマージョンレンズとして機能している。従って、集光レンズ３には、屈折率が１より大きい石英ガラスの透明基板を使用して、レンズ性能指標である開口数（ＮＡ）を１以上に大きくしている。
【００４７】
回折格子パターン７、８の設計方法については、例えば、「回折光学素子入門」（オプトロニクス社刊、１９９７年発行）に詳細に記載されている。その代表的な設計手法は、２つの光ビームスポットの焦点位置からの球面波と入射する平面波との集光レンズ３の入射面での干渉縞を利用するものである。
【００４８】
複合磁気ヘッド２は、図３（ａ）（ｂ）に示すように、集光レンズ３の上面に液晶シャッタ（熱源制御手段、遮光手段）１０を搭載した構成とするのが好ましい。
【００４９】
液晶シャッタ１０は、液晶層１１を挟んだ両透明電極１２・１２に印加する電圧を変化させることにより、液晶分子の配向を変化させて光の透過率を可変にした素子である。ここでは集光レンズ３への入射光、即ち平行光束９に対するシャッタとして機能している。
【００５０】
液晶シャッタ１０は、記録ヘッド４用の回折格子パターン７に対応する記録側領域１０ａと再生ヘッド５用の回折格子パターン８に対応する再生側領域１０ｂとを有しており、駆動電圧供給手段から、記録側領域１０ａには駆動電圧Ｖ１が供給され、再生側領域１０ｂには駆動電圧Ｖ２が供給されるようになっている。上記駆動電圧供給手段は例えば図１３に示すコントローラ６３により構成される。
【００５１】
図３（ａ）（ｂ）においては、例えば、駆動電圧Ｖ１を０Ｖとして記録側領域１０ａの光の透過率を最大とし、駆動電圧Ｖ２を５Ｖとして再生側領域１０ｂの光の透過率を略０としている。この場合には、記録ヘッド４側の光ビームスポットだけが生成され、再生ヘッド５側の光ビームスポットは生成されない。つまり、複合磁気ヘッド２の記録か再生かの動作モードに応じて液晶シャッタ１０を制御し、それぞれの場合について熱源となる光ビームスポットの生成の有無を制御している。これにより、記録媒体６に余計な熱量を供給する状態を回避し、記録媒体６の熱的ダメージを軽減することができる。
【００５２】
また、複合磁気ヘッド装置１は、図４に示すアクチュエータ２１を備え、このアクチュエータ２１におけるサスペンション２２に、前記複合磁気ヘッド２が取付けられている。詳細には、図５に示すように、複合磁気ヘッド２は、アーム状のサスペンション２２の先端部に、集光レンズ３におけるヘッド取付け側の側面とは反対の側面が固定されている。また、アクチュエータ２１には、複合磁気ヘッド２の上に、サスペンション２２と平行に進んで来た平行光束９を反射させて複合磁気ヘッド２の集光レンズ３に供給するための三角プリズム２４が設けられれている。
【００５３】
上記アクチュエータ２１は、図４に示すように、その後端部に設けられたボイスコイル２５にて駆動され、軸２６を中心に回転するようになっている。したがって、サスペンション２２の先端部に設けられた複合磁気ヘッド２は、アクチュエータ２１、即ちサスペンション２２の回転に伴い、記録媒体６の半径方向に円弧運動し、回転する記録媒体６の全面を走査可能となる。また、記録ヘッド４と再生ヘッド５とは記録媒体６にその周方向に形成されたトラック（図示せず）の方向との直行方向に並んだ状態となる。
【００５４】
また、アクチュエータ２１の上面には、図６に示すように、レーザ受発光部２７が設けられている。このレーザ受発光部２７は、半導体レーザ（熱源、レーザ発光手段）３１、光検出器３２、ホログラム３３およびコリメートレンズ３４を備えている。
【００５５】
上記半導体レーザ３１から出射されたレーザ光は、ホログラム３３を通ってコリメートレンズ３４に入射し、ここで平行光束９となり、三角プリズム２４へと向かい、この三角プリズム２４により複合磁気ヘッド２ヘと正確に導かれる。一方、記録媒体６にて反射された複合磁気ヘッド２からの戻り光は、三角プリズム２４よりコリメートレンズ３４に再入射し、ホログラム３３にて回折され、光検出器３２に到達する。
【００５６】
したがって、本実施の形態において、記録ヘッド４用の光ビームスポットは、半導体レーザ３１、ホログラム３３、コリメートレンズ３４、三角プリズム２４および回折格子パターン７によって得られ、同様に、再生ヘッド５用の光ビームスポットは、記録ヘッド４用の場合と同一の光学系、即ち半導体レーザ３１、ホログラム３３、コリメートレンズ３４および三角プリズム２４に加えて、回折格子パターン８によって得られる。
【００５７】
また、それぞれ記録ヘッド４用、再生ヘッド５用の各光ビームスポットからの２つの反射光は、全て同じ光検出器３２に到達することになる。
【００５８】
上記の構成において、記録媒体６への記録時には、半導体レーザ３１から出射されたレーザ光は、ホログラム３３、コリメートレンズ３４、三角プリズム２４を経て複合磁気ヘッド２における液晶シャッタ１０に入射する。このとき、液晶シャッタ１０は記録側領域１０ａが透過状態、再生側領域１０ｂが遮光状態に制御される。したがって、レーザ光は集光レンズ３の回折格子パターン７のみに入射し、この回折格子パターン７によって記録ヘッド４の近接部位に光ビームスポットが形成される。そして、この光ビームスポットにより記録媒体６の記録部位がキュリー温度以上に昇温され、記録ヘッド４による記録が行われる。
【００５９】
一方、記録媒体６からの再生時には、半導体レーザ３１から出射されたレーザ光は、同様に、ホログラム３３、コリメートレンズ３４、三角プリズム２４を経て複合磁気ヘッド２における液晶シャッタ１０に入射する。このとき、液晶シャッタ１０は記録側領域１０ａが遮光状態、再生側領域１０ｂが透過状態に制御される。したがって、レーザ光は集光レンズ３の回折格子パターン８のみに入射し、この回折格子パターン８によって再生ヘッド５の近接部位に光ビームスポットが形成される。そして、この光ビームスポットにより記録媒体６の再生部位が所定温度に昇温され、再生ヘッド５による再生が行われる。
【００６０】
次に、複合磁気ヘッド２の製造方法を図７（ａ）〜（ｄ）により説明する。
【００６１】
集光レンズ３の材料には石英ガラスを使用した。記録ヘッド４には薄膜インダクティブヘッドを使用し、再生ヘッド５にはＭＲヘッドを使用した。また、これら記録ヘッド４および再生ヘッド５は、集光レンズ３となる透明基板４１の面内に並べて別々に作製した。その具体的な作製方法としては、「記録メディアビジネス最前線」（工業調査会刊、１９９７年発行）に記載されているような公知の技術を使用した。ただし、今回は記録ヘッド４と再生ヘッド５とをを別々に作製している。
【００６２】
まず、図７（ａ）に示すように、石英ガラスからなる透明基板４１の上面に、一対をなす記録ヘッド４と再生ヘッド５との多数対を、縦および横方向にアレイ状に作製して配置した。
【００６３】
次に、記録ヘッド４と再生ヘッド５との並び方向に、かつ各対の記録ヘッド４と再生ヘッド５とが切断側の端部に位置するように、透明基板４１を切断する。
【００６４】
次に、図７（ｂ）に示すように、記録ヘッド４および再生ヘッド５の形成面を側面とし、かつ両ヘッド４、５が下端側に位置するように透明基板４１の切出し片４１ａを配し、その上面に、図７（ｃ）に示すように、記録ヘッド４および再生ヘッド５に対応する回折格子パターン７、８をそれぞれ作製した。
【００６５】
この際には、まず、上記切出し片４１ａの上面を研磨し、その後、上面にフォトレジストを塗布した。次に、予め計算にて求めた回折格子パターン７、８のフォトマスクを両ヘッド４、５の位置に合わせて位置決めした（マスクアライメント）。このフォトマスクのアライメントにより、各ヘッド４、５の位置と各光ビームスポットの生成位置との位置合わせが達成できた。
【００６６】
その後、露光、現像、エッチング、レジスト除去の一連のプロセスを実行して、回折格子パターン７、８を得た。なお、回折格子パターン７、８を得るに当たっては、フォトリソグラフィとエッチングとを４回繰り返し、４段階の位相格子を作製した。これにより、基準波長における１次回折効率は８１．１％となった。
【００６７】
回折格子パターン７、８を作製した後、切出し片４１ａ、即ち集光レンズ３の下面をヘッド４、５を含めて研磨した。なお、この集光レンズ３の透明基板自体がスライダとなる。
【００６８】
その後、図７（ｄ）に示すように、記録ヘッド４および再生ヘッド５の一対毎に切出し片４１ａを切断し、複合磁気ヘッド２を得た。
【００６９】
上記のように、本実施の形態の複合磁気ヘッド装置１では、レーザ光を回折格子パターン７または回折格子パターン８により集光させて、記録ヘッド４および再生ヘッド５の近接部位に光ビームスポットを生じさせ、記録媒体６に対して光アシスト磁気記録再生方式による記録再生を行うようにしている。
【００７０】
したがって、記録時には、記録媒体６における記録部位およびその近接部位のみを、また再生時には記録媒体６における再生部位およびその近接部位のみを適切に昇温することができる。これにより、再生時において、再生部位の昇温のために記録媒体６を過度に加熱して記録された情報が消去される事態を回避することができる。また、小さいレーザ強度での記録再生が可能となる。
【００７１】
また、液晶シャッタ１０を備え、記録時には記録用の光ビームスポットのみ、また再生時には再生用の光ビームスポットのみを生成するようにしているので、不要に記録媒体６を加熱することがなく、記録媒体６の熱的ダメージを軽減することができる。
【００７２】
〔実施の形態２〕
本発明の実施の他の形態を図８および図９に基づいて以下に説明する。
本実施の形態の複合磁気ヘッド装置１は、前記の複合磁気ヘッド２に代えて、図８（ａ）（ｂ）に示す複合磁気ヘッド５１、５２を備えている。なお、図１（ａ）は複合磁気ヘッド５１、５２の平面図であり、図１（ｂ）は同縦断面図である。
【００７３】
複合磁気ヘッド５１は、上面に回折格子パターン５３が形成された集光レンズ５５（熱源、集光手段）と記録ヘッド４とが一体化されたものであり、複合磁気ヘッド５２は上面に回折格子パターン５４が形成された集光レンズ（熱源、集光手段）５６と再生ヘッド５とが一体化されたものである。
【００７４】
集光レンズ５５、５６は同形の直方体状をなし、それらの回折格子パターン５３、５４も同一パターンである。記録ヘッド４、５は共に対応する集光レンズ５５、５６の同一側面における中央部の下端部に設けられている。回折格子パターン５３、５４は、複合磁気ヘッド２の場合と同様、それぞれ、記録ヘッド４、再生ヘッド５との近接位置に光ビームスポットを生成するようになっている。
【００７５】
複合磁気ヘッド５１、５２は、ヘッド４、５が設けられた側面を同方向に向け、かつ集光レンズ５５と集光レンズ５６との間に記録ヘッド４が位置する状態で並設されている。また、複合磁気ヘッド５１、５２は、記録媒体６のトラック方向に沿って並んだ状態に配置されている。
【００７６】
上記の構成により、複合磁気ヘッド５１に上方から平行光束９が入射すると、回折格子パターン５３により記録ヘッド４の近傍位置に光ビームスポットが生成され、これが記録時の熱源として作用する。同様に、複合磁気ヘッド５２に上方から平行光束９が入射すると、回折格子パターン５４により再生ヘッド５の近傍位置に光ビームスポットが生成され、これが再生時の熱源として作用する。
【００７７】
複合磁気ヘッド５１、５２は、図９に示すように、前記サスペンション２２の先端部に取り付けられる。複合磁気ヘッド５１は集光レンズ５５の上に液晶シャッタ（熱源制御手段、遮光手段）５７を備え、複合磁気ヘッド５２は集光レンズ５６の上に液晶シャッタ（熱源制御手段、遮光手段）５８を備えている。液晶シャッタ５７、５８は、前記液晶シャッタ１０の記録側領域１０ａ、再生側領域１０ｂに対応するものであり、これらと同様にしてその動作が制御される。
【００７８】
また、複合磁気ヘッド５１、５２の上には前記の三角プリズム２４が搭載されており、レーザ受発光部２７を含む構成も前記実施の形態１に示したものと同様である。
【００７９】
また、複合磁気ヘッド５１、５２の製造方法は、前記複合磁気ヘッド２の製造方法を流用できる。ただし、記録ヘッド４および再生ヘッド５を集光レンズ５５、５６と共に別々に切り出し、それらをトラック方向に沿って接着するプロセスが新たに必要である。
【００８０】
本実施の形態の複合磁気ヘッド装置１では、上記のように、記録媒体６における同一のトラック上に記録ヘッド４と再生ヘッド５とを位置決めすることが可能となる。したがって、システム上において効率の良い動作、例えば情報を記録し、その直後に記録した情報を再生するといったベリファイ機能を実行するのに適している。
【００８１】
〔実施の形態３〕
本発明の実施のさらに他の形態を図１０ないし図１３に基づいて以下に説明する。
本実施の形態の情報記録再生装置は、前記複合磁気ヘッド装置１を使用するとともに、トラッキングサーボを記録ヘッド４、再生ヘッド５の熱源となる各光ビームスポットの記録媒体６からの反射光に基づいて行っている。即ち、複合磁気ヘッド２の位置情報を上記反射光から得るようにしている。なお、情報記録再生装置には、前記複合磁気ヘッド２と複合磁気ヘッド５１、５２との何れも使用可能であるものの、ここでは、例えば複合磁気ヘッド２を使用するものとして説明する。
【００８２】
複合磁気ヘッド２は、記録ヘッド４と再生ヘッド５とが分離しているため、記録時には記録ヘッド４の、再生時には再生ヘッド５のトラッキングがそれぞれ必要となる。したがって、情報が記録されたトラックを正確に走査して、記録されている情報を再生するためには、記録ヘッド４のトラッキングと再生ヘッド５のトラッキングとを同じ位置情報に基づいて実行することが不可欠である。このため、記録媒体６には、図１０（ａ）に示すように、位置情報となるサーボ用の凹凸ピット（サーボピット）を予め作製しておき、このピットによる反射光量の変化から、各ヘッド４、５とトラック７１との相対的な位置関係を求めるようにしている。
【００８３】
ここで、図１１（ａ）に、従来の光ディスクにおいて提案されているサンプルサーボのサーボピットの例を示す。この構成では、各々のトラック７１に対し、トラック７１を中心にその一方側に第１サーボピット７２が形成され、他方側に第２サーボピット７３が形成されている。また、第１サーボピット７２と第２サーボピット７３とは、トラック方向にこの順序に形成されている。
【００８４】
この従来の構成を使用し、サーボピットの幅を０．１μｍ、長さを０．２μｍ、トラックピッチを０．３μｍに設定して記録媒体を作製し、サーボ信号の検出感度を調べた。使用した光ビームスポット７４は、波長４１０ｎｍの青紫色レーザによる直径０．３μｍのものである。また、光学系は、図６に示した複合磁気ヘッド装置１のものを使用した。
【００８５】
その結果、光検出器３２より図１１（ｂ）〜（ｄ）に示す検出信号Ａ〜Ｃが得られた。検出信号Ａは、光ビームスポット７４が走査軌跡Ｓ（オフトラック位置）にて走査したときの出力であり、検出信号Ｂは走査軌跡Ｔ（ジャストトラック位置）にて走査したときの出力であり、検出信号Ｃは、走査軌跡Ｕ（オフトラック位置）にて走査したときの出力を示している。
【００８６】
上記の検出信号Ａ〜Ｃからも判るように、所定のトラック７１からの光ビームスポット７４のずれ量は、光検出器３２から出力される検出信号の第１サーボピット７２により生じる最初のボトムピーク値と第２サーボピット７３により生じる次のボトムピーク値とのレベル差ΔＶａから求めることができる。つまり、光ビームスポット７４が丁度トラック７１上を走査した場合、上記のレベル差ΔＶａは０となる。したがって、トラッキングサーボではレベル差ΔＶａが０となるように光ビームスポット７４の位置を制御すればよい。
【００８７】
また、レベル差ΔＶａはトラッキングサーボの感度となる。したがって、高精度のサーボ制御を実現するためには、所定のトラック７１からの光ビームスポット７４のずれ量が同じ場合において、レベル差ΔＶａが大きい値として出力されることが必要である。しかしながら、図１１（ａ）に示したサーボピットの配置では、レベル差ΔＶａの大きい出力値を得ることができなかった。
【００８８】
これは、光ビームスポット７４が走査軌跡Ｓにて走査する場合、第２サーボピット７３を通過するときに隣接トラック７１に対応する第２サーボピット７３の影響を受けることにより、必要以上に出力レベルが低下するためであることが判った。
【００８９】
このような問題を解決するため、本願発明者らは先に図１２（ａ）に示すサーボピットパターンを提案した。この構成では、トラック７１・７１の間に第１サーボピット７２または第２サーボピット７３のみを配置するとともに、トラック７１・７１の各間毎に第１サーボピット７２と第２サーボピット７３とを交互に配置した。このように両サーボピット７２、７３を配置することにより、隣接するサーボピット７２、７３間の距離を広くした。そして、この構成の記録媒体についてサーボ信号の検出感度を調べ、図１２（ｂ）〜（ｄ）に示す検出信号Ｄ〜Ｆを得た。なお、サーボピットのサイズと、使用した光ビームスポット７４および光学系は前記の場合と同様である。
【００９０】
検出信号Ｄは、光ビームスポット７４が走査軌跡Ｓ、Ｕ' （オフトラック位置）にて走査したときの出力であり、検出信号Ｅは走査軌跡Ｔ、Ｔ' （ジャストトラック位置）にて走査したときの出力であり、検出信号Ｆは、走査軌跡Ｕ、Ｓ' （オフトラック位置）にて走査したときの出力を示している。
【００９１】
上記の検出信号Ｄ〜Ｆから判るように、この構成では、所定のトラック７１からの光ビームスポット７４のずれ量を示すレベル差ΔＶｂが、上記従来の構成の場合の倍以上となり、検出感度が大幅に改善された。
【００９２】
しかしながら、図１２（ａ）の構成では、次の問題を有している。即ち、例えば、光ビームスポット７４がトラック７１ｂからこれと隣接するトラック７１ａに向かう方向にずれた場合を考えると、光ビームスポット７４は、トラック７１ａを走査している場合、第１サーボピット７２に近づく一方、トラック７１ｂを走査している場合、第１サーボピット７２から離れることになる。即ち、光ビームスポット７４が同じ方向にずれた場合であっても、検出信号の状態が隣接するトラック７１ａとトラック７１ｂとでは逆になってしまう。
【００９３】
このことは、サーボ制御の動作方向が隣接トラック毎に逆転する状態を引き起こすことになり、ドライブ装置にとって不利な状況となる。
【００９４】
そこで、本願発明者らはこのような不都合を解消をするために研究を重ねた結果、図１０（ａ）に示したようなサーボピットのパターンを発明した。この構成では、トラック７１が一つのサーボピット領域７５とこれに隣接する一つのデータ領域７６とを対とする複数対のサーボ／データ領域７７に分割されており、サーボピット領域７５の第１サーボピット７２と第２サーボピット７３との各トラック７１に対する位置関係が互いに反転している２種類のサーボピットパターンを各サーボピット領域７５毎に交互に作製したものである。
【００９５】
即ち、一つのサーボピット領域７５において、トラック７１・７１の間に第１サーボピット７２または第２サーボピット７３のみが配置されるとともに、トラック７１・７１の各間毎に第１サーボピット７２と第２サーボピット７３とが交互に配置されている。さらに、サーボピット領域７５（Ｍ）とこれに隣り合うサーボピット領域７５（Ｍ＋１）では、第１サーボピット７２および第２サーボピット７３の形成されているトラック７１が異なっている。したがって、一つのトラック７１においては、第１サーボピット７２と第２サーボピット７３とが交互に形成されている。
【００９６】
さらに言い換えると、上記サーボパターンは第１のサーボパターンと第２のサーボパターンとからなり、第１のサーボパターンは、２本のトラック７１・７１間の一つ飛ばしのトラック７１・７１間の位置にトラック方向との直行方向にサーボピット（第１サーボピット７２）が並ぶ第１のサーボピット列（第１サーボピット７２の列）と、第１のサーボピット列のサーボピットとは異なるトラック７１・７１間の位置にトラック方向との直行方向にサーボピット（第２サーボピット７３）が並ぶ第２のサーボピット列（第２サーボピット７３の列）とからなり、第２のサーボパターンは、第１のサーボパターンに対し、第１のサーボピット列と第２のサーボピット列とのトラック方向における形成順序が逆になっているものからなる。
【００９７】
上記の構成において、トラック７１（Ｎ）の走査においては、一つおきのサーボピット領域Ｍ、Ｍ＋２、……にて検出される信号を使用してトラッキングサーボを行う。また、隣接するトラック７１（Ｎ＋１）の走査においては、トラック７１（Ｎ）の走査にて使用したサーボピット領域Ｍ、Ｍ＋２、……からトラック方向に一つずれたサーボピット領域Ｍ＋１、Ｍ＋３、……にて検出される信号を使用する。このように走査するトラック７１毎に検出対象となるサーボピット領域７５を切り替えることにより、トラッキングサーボをシームレスに実行することができる。
【００９８】
図１０（ｂ）（ｃ）には、第１サーボピット７２および第２サーボピット７３の検出に使用する２種類のサンプリング信号Ａ、Ｂを示す。これらサンプリング信号Ａ、Ｂは、サンプリング信号供給回路（図示せず）にて常に両方が生成され、出力される。このように、両サンプリング信号Ａ、Ｂを使い分けることにより、２種類のサーボピットパターンを切り替えて使用することができる。
【００９９】
なお、トラック７１の識別に使用するアドレス情報は、同様に、凹凸のピットとして予め記録媒体６に形成されており、記録媒体６からの光ビームスポット７４の反射光に基づいて検出される。そして、このアドレス情報に従い、サンプリング信号Ａ、Ｂを選択することができる。
【０１００】
また、本実施の形態における情報記録再生装置は、前記の複合磁気ヘッド装置１を使用し、トラッキングサーボを行うために、トラッキングサーボ回路（トラッキング制御手段）を有している。その概略構成を図１３に示す。なお、記録媒体６はスピンドルモータ６１に駆動されて例えば５４００ｒｐｍの速度で回転する。
【０１０１】
トラッキングサーボ回路は、信号処理回路６１、ボイスコイルドライバ６２およびコントローラ６３を有している。
【０１０２】
信号処理回路６１は、再生ヘッド５からの再生信号の取り込み、記録ヘッド４への記録情報の転送、レーザ受発光部２７における半導体レーザ３１の制御、液晶シャッタ１０の制御、および光ビームスポットによる記録媒体６のサーボピット情報からのトラッキングサーボ用制御信号の生成を行う。
【０１０３】
ボイスコイルドライバ６２は、信号処理回路６１からのトラッキングサーボ用制御信号に従って、複合磁気ヘッド装置１の全体を制御し、記録媒体６のトラックを走査する。
【０１０４】
コントローラ６３は、図１０（ｂ）（ｃ）に示した２つのサンプリング信号Ａ、Ｂを生成し、走査するトラックに対応して１つのサンプリング信号を選択し、信号処理回路６１に供給する。また、トラックのアドレス情報についても、サーボピットと同様に光ビームスポットにて読み取られ、その情報がコントローラ６３に入力される。コントローラ６３は、トラックのアドレス情報を記録時および再生時において把握することができる。
【０１０５】
例えば、記録媒体６に情報を記録する場合、コントローラ６３からの指令により、信号処理回路６１は複合磁気ヘッド２に搭載されている液晶シャッタ１０を制御して、再生ヘッド５の熱源となる光ビームスポットが生成されないように集光レンズ３ヘのレーザ光を遮断する。その結果、記録媒体６上には記録ヘッド４の光ビームスポットだけが生成され、この光ビームスポットによるサーボピットの検出信号だけが光検出器３２から得られる。したがって、この検出信号から生成されるトラッキングサーボ用制御信号を使用して、記録ヘッド４を所望のトラック上を走査させることができる。
【０１０６】
一方、記録媒体６から情報を再生する場合、コントローラ６３からの指令により、信号処理回路６１は複合磁気ヘッド２に上記液晶シャッタ１０を制御して、記録ヘッド４の熱源となる光ビームスポットが生成されないように集光レンズ３ヘのレーザ光を遮断する。その結果、記録媒体６上には再生ヘッド５の光ビームスポットだけが生成され、この光ビームスポットによるサーボピットの検出信号だけが光検出器３２から得られる。したがって、この検出信号から生成されるトラッキングサーボ用制御信号を使用して、記録ヘッド４を所望のトラック上を走査させることができる。
【０１０７】
以上詳述したように、本発明の複合磁気ヘッド装置１を使用することで、光アシスト方式による磁気記録再生においても片面からの記録再生動作が可能となり、装置全体として小型化、量産性、大容量化において非常に有利となる。さらに、本発明の情報記録再生装置および記録媒体により、光アシスト方式における複合磁気ヘッド装置１を使用したトラッキングサーボを高精度に実行することができる。
【０１０８】
以上のように、本発明の情報記録再生方法は、複合磁気ヘッド装置を用い、情報を記録する際には再生ヘッド側の熱源を非作動状態とし、情報を再生する際は記録ヘッド側の熱源を非作動状態とする構成である。
【０１０９】
また、本発明の情報記録再生方法は、複合磁気ヘッド装置を用い、光ビームスポットから得られる情報によりトラッキング制御を実施する構成である。
【０１１０】
【発明の効果】
以上のように、本発明の本発明の複合磁気ヘッド装置は、記録媒体に対する情報の記録および再生をそれぞれ磁気的に行う記録ヘッドおよび再生ヘッドを備えるとともに、記録および再生の際に記録媒体を昇温する熱源を備えている複合磁気ヘッド装置において、前記熱源が再生ヘッド用と記録ヘッド用として個々に設けられている構成である。
【０１１１】
これにより、記録媒体に対する情報の記録および再生の際に記録媒体を昇温する熱源が再生ヘッド用と記録ヘッド用として個々に設けられているので、各ヘッドと熱源との距離を縮め、これら両者を近接させることができる。
【０１１２】
したがって、記録媒体を熱源により昇温した場合の熱分布により情報の記録再生を行う場合に、記録媒体を過度にかつ広範囲に昇温させる必要がなく、記録媒体に対して与える熱的ダメージを軽減することができる。また、再生時に再生ヘッドによる再生部位を所定温度に昇温するために、記録媒体を加熱し過ぎて記録情報が消去されてしまう事態も回避することができる。
【０１１３】
上記の複合磁気ヘッド装置は、前記の熱源が、レーザ発光手段と、このレーザ発光手段から出射されたレーザ光を集光させて光ビームスポットを形成する集光手段とを備えている構成としてもよい。
【０１１４】
これにより、熱源を容易に得ることができるとともに、集光手段により光ビームスポットを所望の位置、即ち記録ヘッド、再生ヘッドによる記録部位、再生部位に近接した位置に容易に形成することができるので、記録媒体の昇温をさらに適切に行うことができる。
【０１１５】
上記の複合磁気ヘッド装置は、前記レーザ発光手段が１個のみ設けられ、前記集光手段がレーザ発光手段から出射されたレーザ光から２個の光ビームスポットを形成するものからなる構成としてよい。
【０１１６】
これにより、集光手段が、１個のレーザ発光手段より出射されたレーザ光から２個の光ビームスポットを形成するので、レーザ発光手段の数が少なくてよく、また部品点数を減らして構成を簡略化することができる。
【０１１７】
上記の複合磁気ヘッド装置は、前記集光手段が集光レンズからなり、前記記録ヘッドと再生ヘッドとが前記集光レンズに設けられている構成としてもよい。
【０１１８】
上記の構成によれば、集光手段が集光レンズからなり、記録ヘッドと再生ヘッドとが集光レンズに設けられ、少なくとも記録ヘッドと集光レンズ、および再生ヘッドと集光レンズとがそれぞれ一体化されるので、記録ヘッド、再生ヘッドによる記録再生位置に対する集光レンズによる光ビームスポットの形成位置の設定が容易となる。
【０１１９】
上記の複合磁気ヘッド装置は、前記集光手段が回折格子を備えている構成としてもよい。これにより、集光手段の形成が容易となる。
【０１２０】
上記の複合磁気ヘッド装置は、記録時に再生ヘッド用の熱源を非作動状態とする一方、再生時に記録ヘッド用の熱源を非作動状態とする熱源制御手段を備えている構成としてもよい。
【０１２１】
これにより、記録媒体の記録および再生時に不要に記録媒体を加熱することがなく、記録媒体の熱的ダメージを軽減することができる。
【０１２２】
上記の複合磁気ヘッド装置は、記録時に再生ヘッド用の光ビームスポットを形成するためのレーザ光が前記集光手段へ入射するのを阻止する一方、再生時に記録ヘッド用の光ビームスポットを形成するためのレーザ光が前記集光手段へ入射するのを阻止する遮光手段を備えている構成としてもよい。
【０１２３】
上記の構成によれば、遮光手段により、記録時には再生ヘッド用の不要な光ビームスポットが形成されるのを阻止し、再生時には記録ヘッド用の不要な光ビームスポットが形成されるのを阻止することができる。
【０１２４】
したがって、記録媒体の記録および再生時に不要に記録媒体を加熱することがなく、記録媒体の熱的ダメージを軽減することができる。
【０１２５】
本発明の情報記録再生装置は、上記の複合磁気ヘッド装置を備えるとともに、記録媒体からの前記光ビームスポットの反射光より得られる情報に基づいてトラッキング制御を行うトラッキング制御手段を備えている構成である。
【０１２６】
これにより、記録および再生時に記録媒体を昇温する光ビームスポットを利用して、トラッキング制御を行うので、記録ヘッドと再生ヘッドが分離されていても、トラッキング制御を容易に行うことができる。
【０１２７】
本発明の記録媒体は、トラッキング制御用のサーボパターンがサーボピットにより予め形成されている記録媒体において、異なるトラックに対応して設定された少なくとも２種類のサーボパターンを有し、これらサーボパターンがトラック方向へ交互に配されている構成である。
【０１２８】
これにより、狭トラックピッチのトラックであっても光ビームスポットがサーボピットを通過する時に位置情報が正確に得られるので、トラック方向の記録密度を上げても精度良くトラッキングを行うことができる。また、この記録媒体を使用する情報記録再生装置においては、前記少なくとも２種類のサーボパターンを例えば隣接するトラック毎に使い分けることで、サーボ回路上でのサーボ極性を反転することなく、シームレスにトラッキングを実行することができる。
【０１２９】
上記の記録媒体において、前記サーボパターンは第１のサーボパターンと第２のサーボパターンとからなり、第１のサーボパターンは、２本のトラック間の一つ飛ばしのトラック間の位置にトラック方向との直行方向にサーボピットが並ぶ第１のサーボピット列と、第１のサーボピット列のサーボピットとは異なるトラック間の位置にトラック方向との直行方向にサーボピットが並ぶ第２のサーボピット列とからなり、第２のサーボパターンは、第１のサーボパターンに対し、第１のサーボピット列と第２のサーボピット列とのトラック方向における形成順序が逆になっているものからなる構成としてもよい。
【０１３０】
上記の構成によれば、第１のサーボパターンと第２のサーボパターンとの第１のサーボピット列と第２のサーボピット列とのサーボピットにより、対応する各トラックについてのトラッキングを良好に行うことができる。
【０１３１】
本発明の情報記録再生装置は、上記の記録媒体を使用し、走査するトラック毎にそのトラックに対応したサーボパターンを切り替えて使用するトラッキング制御手段を備えている構成である。
【０１３２】
これにより、上記の記録媒体を使用した場合のトラッキング制御をトラッキング制御手段により適切に行うことができる。
【図面の簡単な説明】
【図１】図１（ａ）は、本発明の実施の一形態における複合磁気ヘッドの平面図、図２（ｂ）は同縦断面図である。
【図２】図２（ａ）は、上記複合磁気ヘッドと記録媒体との位置関係を示す平面図、図２（ｂ）は同縦断面図である。
【図３】図３（ａ）は、上記複合磁気ヘッドの上面に液晶シャッタを搭載した状態を示す平面図、図３（ｂ）は同縦断面図である。
【図４】上記複合磁気ヘッドを搭載した複合磁気ヘッド装置の全体構成を示す平面図である。
【図５】図４に示した複合磁気ヘッド装置における複合磁気ヘッドの搭載部付近の構成を示す正面図である。
【図６】図４に示した複合磁気ヘッド装置における光学系部分の構成を示す説明図である。
【図７】図７（ａ）は、上記の複合磁気ヘッドの製造工程において、記録ヘッドおよび再生ヘッドの形成工程を示す斜視図、図７（ｂ）は、透明基板から切り出した切出し片の処理工程を示す斜視図、図７（ｃ）は、切出し片への回折格子パターンの形成工程を示す斜視図、図７（ｄ）は、切出し片からの複合磁気ヘッドの切出し工程を示す斜視図である。
【図８】図８（ａ）は、本発明の実施の他の形態における複合磁気ヘッドの平面図、図８（ｂ）は同縦断面図である。
【図９】図８に示した複合磁気ヘッドの複合磁気ヘッド装置への搭載部付近の構成を示す正面図である。
【図１０】図１０（ａ）は、本発明の実施の一形態における記録媒体に形成された２種類のサーボピットパターンの形成状態を示す説明図、図１０（ｂ）は、図１０（ａ）に示した２種類のサーボピットパターンのうちの１種類の検出に使用されるサンプリング信号を示す波形図、図１０（ｃ）は、他の１種類のサーボピットパターンの検出に使用されるサンプリング信号を示す波形図である。
【図１１】図１１（ａ）は、従来の光ディスクにおいて提案されたサーボピットパターンを示す説明図、図１１（ｂ）は、図１１（ａ）に示した走査軌跡Ｓにて走査したときの検出信号を示す波形図、図１１（ｃ）は、同走査軌跡Ｔにて走査したときの検出信号を示す波形図、図１１（ｄ）は、同走査軌跡Ｕにて走査したときの検出信号を示す波形図である。
【図１２】図１２（ａ）は、本願発明の前提として先に提案したサーボピットパターンを示す説明図、図１２（ｂ）は、図１２（ａ）に示した走査軌跡Ｓ、Ｕ' にて走査したときの検出信号を示す波形図、図１２（ｃ）は、同走査軌跡Ｔ、Ｔ' にて走査したときの検出信号を示す波形図、図１２（ｄ）は、同走査軌跡Ｕ、Ｓ' にて走査したときの検出信号を示す波形図である。
【図１３】本発明の実施の一形態における情報記録再生装置のトラッキングサーボ回路を示す概略のブロック図である。
【図１４】従来の磁気記録に使用される磁気ヘッド装置を示す概略の正面図である。
【図１５】図１５（ａ）は、図１４に示した磁気ヘッド装置を光アシスト方式に採用した場合の構成を示す概略の正面図、図１５（ｂ）は、図１５（ａ）に示した磁気ヘッド装置での光アシストによる記録媒体上での熱分布のシミュレーション結果を示すグラフである。
【符号の説明】
１    複合磁気ヘッド装置
２    複合磁気ヘッド
３    集光レンズ（熱源、集光手段）
４    記録ヘッド
５    再生ヘッド
６    記録媒体
７    回折格子パターン
８    回折格子パターン
９    平行光束
１０    液晶シャッタ（熱源制御手段、遮光手段）
１０ａ  記録側領域
１０ｂ  再生側領域
２１    アクチュエータ
２４    三角プリズム
２５    ボイスコイル
２７    レーザ受発光部
３１    半導体レーザ（熱源、レーザ発光手段）
３２    光検出器
５１    複合磁気ヘッド
５２    複合磁気ヘッド
５３    回折格子パターン
５４    回折格子パターン
５５    集光レンズ（熱源、集光手段）
５６    集光レンズ（熱源、集光手段）
５７    液晶シャッタ（熱源制御手段、遮光手段）
５８    液晶シャッタ（熱源制御手段、遮光手段）
６１    信号処理回路（トラッキング制御手段）
６２    ボイスコイルドライバ（トラッキング制御手段）
６３    コントローラ（トラッキング制御手段）
７１    トラック
７２    第１サーボピット
７３    第２サーボピット
７４    光ビームスポット
７５    サーボピット領域
７６    データ領域
【図１】
0004354075.tif 000002
【図２】
0004354075.tif 000003
【図３】
0004354075.tif 000004
【図４】
0004354075.tif 000005
【図５】
0004354075.tif 000006
【図６】
0004354075.tif 000007
【図７】
0004354075.tif 000008
【図８】
0004354075.tif 000009
【図９】
0004354075.tif 000010
【図１０】
0004354075.tif 000011
【図１１】
0004354075.tif 000012
【図１２】
0004354075.tif 000013
【図１３】
0004354075.tif 000014
【図１４】
0004354075.tif 000015
【図１５】
0004354075.tif 000016